(57)【特許請求の範囲】
【請求項１】
センサ部、制御部を有するセンサ装置であって、
電源からセンサ部および制御部への電力供給経路を複数有し、これらの電力供給経路を上記センサ部の動作状態によって切り替え可能であり、
上記電力供給経路は、消費電流が比較的大きくなる動作モード時にはＤＣコンバータを介して電力供給を行う経路とされ、消費電流が比較的小さくなる動作モード時には電源が負荷に直結されて電力供給を行う経路とされるような電力供給経路の切り替えが可能であることを特徴とするセンサ装置。
【請求項２】
上記センサ部が測定を行う測定頻度が閾値以下の場合には電力供給経路の上記切り替えを行い、上記測定頻度が上記閾値を超える場合には電力供給経路の上記切り替えを行わないことを特徴とする請求項１に記載のセンサ装置。
【請求項３】
さらに、上記センサ部の測定結果を送信するための無線通信機を有し、
上記複数の電力供給経路は、電源から上記無線通信機への電力供給をも行うものであって、かつ、上記複数の電力供給経路は上記無線通信機の動作状態によっても切り替え可能であることを特徴とする請求項１又は２に記載のセンサ装置。
【請求項４】
センサ部、制御部を有するセンサ装置であって、
電源からセンサ部および制御部への電力供給経路を複数有し、これらの電力供給経路を上記センサ部の動作状態によって切り替え可能であり、
上記電力供給経路は、上記センサ部のセンシング精度によって切り替えられるものであり、上記センサ部が高精度の測定を行う測定範囲では昇圧型ＤＣコンバータを介して電力供給を行う経路とされ、それ以外の測定範囲では、降圧型ＤＣコンバータを介して電力供給を行う経路とされることを特徴とするセンサ装置。
【請求項５】
少なくとも第１および第２のセンサ部を有しており、
降圧型ＤＣコンバータを介して電力供給を行う状態で上記第１のセンサ部での計測を行い、
上記第１のセンサ部での測定結果が所定の範囲内にある場合に、昇圧型ＤＣコンバータを介して電力供給を行う状態で上記第２のセンサ部での計測を行うことを特徴とする請求項４に記載のセンサ装置。
【請求項６】
さらに、上記センサ部の測定結果を送信するための無線通信機を有し、
上記複数の電力供給経路は、電源から上記無線通信機への電力供給をも行うものであって、かつ、上記複数の電力供給経路は上記無線通信機の動作状態によっても切り替え可能であることを特徴とする請求項４又は５に記載のセンサ装置。
【請求項７】
上記無線通信機を介して他のセンサ装置から測定結果を受信し、
受信した上記測定結果が、上記センサ部が高精度の測定を行う測定範囲にあるか否かで上記電力供給経路を切り替えることを特徴とする請求項６に記載のセンサ装置。
【請求項８】
上記無線通信機により通信状態を監視し、
上記通信状態に応じて上記電力供給経路を切り替え、上記通信状態に対して最適な電力供給を行うことを特徴とする請求項３、６又は７に記載のセンサ装置。
【発明の詳細な説明】
【技術分野】
【０００１】
本発明は、温度や湿度など様々な計測対象を計測するセンサ装置に関する。
【背景技術】
【０００２】
我々の周辺環境には、多種多様なセンサが設置されており、センサによる計測データをサーバ装置（あるいは本体装置）に送信し、サーバ装置にて解析することが行われている。そして、この解析結果により、周辺環境に設置された機器類を制御することが行われている。
【０００３】
センサでの計測及びデータ送信が多くなると、当然消費電力も多くなる。例えば、センサを電池で動作させる場合、計測及びデータ送信が多くなると、電池の寿命が短くなり、電池を頻繁に交換する必要がある。
【０００４】
一方、汎用されている電子機器において消費電力を低減させる技術が知られている。例えば、特許文献１には、バッテリーと、バッテリー電圧より低い直流電圧を生成する直流電圧変換手段とを備え、消費電力が大きい主駆動状態時（主駆動／待機状態信号が主駆動状態を示しているとき）に直流電圧変換手段で生成した直流電圧とし、消費電力が小さい待機状態時（主駆動／待機状態信号が待機状態を示しているとき）にバッテリ電圧とすることが記載されている。これにより、消費電力が大きい主駆動状態時には、直流電圧変換手段によりバッテリー電圧よりも低い電圧を供給し電力損失を少なくすることができる。また、消費電力が小さい待機状態時には、直流電圧変換手段の動作を止めることにより、直流電圧変換手段での電力損失を零にすることができる。また、特許文献２には、半導体装置の動作モードを示すモード信号に応じて電源電圧の変換を行うことが記載されている。
【先行技術文献】
【特許文献】
【０００５】
【特許文献１】特開平１１−４１８２５号公報（１９９９年２月１２日公開）
【特許文献２】特開平１１−３５３０４０号公報（１９９９年１２月２４日公開）
【発明の概要】
【発明が解決しようとする課題】
【０００６】
特許文献１や特許文献２の技術をセンサ装置に適用することが考えられる。しかしながら、特許文献１や特許文献２では、モードを設定するための主駆動／待機状態信号やモード信号を用いており、単純にセンサ装置に適用することができない。すなわち、センサ装置は、その設置環境や計測対象に応じて、外部から動作モードを設定できるわけではない。例えば、ある所定の環境下において計測するセンサ装置である場合、周囲の環境が当該所定の環境になったときが動作モードの変更時となり、外部入力信号によって変更されるものではない。
【０００７】
本発明は、上記の課題に鑑みてなされたものであり、設置環境等に応じて動作状態が変化しうるセンサ装置であっても、消費電力を低減することができるセンサ装置を提供することを目的としている。
【課題を解決するための手段】
【０００８】
上記の課題を解決するために、本発明は、センサ部、制御部を有するセンサ装置であって、電源からセンサ部および制御部への電力供給経路を複数有し、これらの電力供給経路を上記センサ部の動作状態によって切り替え可能であることを特徴としている。
【０００９】
さらに、上記センサ装置は、上記センサ部の測定結果を送信するための無線通信機を有し、上記複数の電力供給経路は、電源から上記無線通信機への電力供給をも行うものであって、かつ、上記複数の電力供給経路は上記無線通信機の動作状態によっても切り替え可能である構成とすることができる。
【００１０】
上記の構成によれば、センサ装置の動作モードに応じて電力供給経路の切替（電源切替）を行うことで、最適な電力供給経路を選択し、低消費電力化を図ることができる。また、上記電源切替は、動作モードを設定するための主駆動／待機状態信号やモード信号を用いて電源切替を行うものではなく、装置自体の動作状態（センサ部や無線通信機の出力信号）によって行うことができる。すなわち、設置環境等に応じて動作状態が変化しうるセンサ装置であっても、消費電力を低減することができる。
【００１１】
また、上記センサ装置では、上記電力供給経路は、消費電流が比較的大きくなる動作モード時にはＤＣコンバータを介して電力供給を行う経路とされ、消費電流が比較的小さくなる動作モード時には電源が負荷に直結されて電力供給を行う経路とされるような電力供給経路の切り替えが可能である構成とすることができる。
【００１２】
上記の構成によれば、消費電流が比較的大きくなる動作モード（例えば、センシングモードまたは送信モード）では、電流変換効率が大きい状態でＤＣコンバータを駆動することができる。また、消費電流が比較的小さくなる動作モード（例えば、スリープモード）では、ＤＣコンバータにおける動作電力を削減できる。
【００１３】
また、上記センサ装置では、上記電力供給経路は、上記センサ部のセンシング精度によって切り替えられるものであり、上記センサ部が高精度の測定を行う測定範囲では昇圧型ＤＣコンバータを介して電力供給を行う経路とされ、それ以外の測定範囲では、降圧型ＤＣコンバータを介して電力供給を行う経路とされる構成とすることができる。
【００１４】
上記の構成によれば、高精度の測定を行う測定範囲で動作電圧を高圧することで測定誤差が小さくなり高精度の測定が行えるが、それ以外の範囲では必要以上の電圧が供給されないので消費電力の削減に繋がる。
【００１５】
また、上記センサ装置では、少なくとも第１および第２のセンサ部を有しており、降圧型ＤＣコンバータを介して電力供給を行う状態で上記第１のセンサ部での計測を行い、上記第１のセンサ部での計測値が所定の範囲内にある場合に、昇圧型ＤＣコンバータを介して電力供給を行う状態で上記第２のセンサ部での計測を行う構成とすることができる。
【００１６】
上記の構成によれば、所望の測定範囲で高精度の測定を行いつつ、それ以外の範囲では必要以上の電圧が供給されないので消費電力の削減に繋がる。
【００１７】
また、上記センサ装置では、上記センサ部が測定を行う測定頻度が閾値以下の場合には電力供給経路の上記切り替えを行い、上記測定頻度が上記閾値を超える場合には電力供給経路の上記切り替えを行わない構成とすることができる。
【００１８】
上記の構成によれば、測定頻度が上記閾値を超える場合には、電源供給経路を頻繁に切り替えると、スイッチの切替における消費電力が大きくなるため、測定頻度に応じて切替制御を行うことで上記切替制御が消費電力削減に有効な場合にのみ、それを行うことができる。
【００１９】
また、上記センサ装置では、上記無線通信機を介して他のセンサ装置から計測結果を受信し、受信した上記計測値が、上記センサ部が高精度の測定を行う測定範囲にあるか否かで上記電力供給経路を切り替える構成とすることができる。
【００２０】
上記構成によれば、他のセンサ装置から計測結果を利用して、所望の測定範囲で高精度の測定を行いつつ、それ以外の範囲では必要以上の電圧が供給されないので消費電力の削減に繋がる。
【００２１】
また、上記センサ装置では、上記無線通信機により通信状態を監視し、上記通信状態に応じて上記電力供給経路を切り替え、上記通信状態に対して最適な電力供給を行う構成とすることができる。
【００２２】
上記構成によれば、例えば、その時の無線通信状態に対して無線通信品質が不足している場合には供給電圧を増加させ、無線通信品質が過剰である場合には供給電圧を低下させることで、常に通信状態に対して過不足の無い電力供給を行え、無線通信品質を維持しつつ、無駄な電力消費を抑制できる。
【発明の効果】
【００２３】
本発明によれば、センサ部、制御部を有するセンサ装置であって、電源からセンサ部および制御部への電力供給経路を複数有し、これらの電力供給経路を上記センサ部の動作状態によって切り替え可能である。
【００２４】
それゆえ、センサ装置の動作モードに応じて電力供給経路の切替（電源切替）を行うことで、最適な電力供給経路を選択し、低消費電力化を図ることができる。また、上記電源切替は、装置自体の動作状態（センサ部の出力信号）によって行うことで、設置環境等に応じて動作状態が変化しうるセンサ装置であっても、消費電力を低減することができる。
【図面の簡単な説明】
【００２５】
【図１】実施の形態１に係るセンサ装置の概略構成を示すブロック図である。
【図２】実施の形態１における電源切替アルゴリズムを示すフローチャートである。
【図３】実施の形態２における電源切替アルゴリズムを示すフローチャートである。
【図４】実施の形態３に係るセンサ装置の概略構成を示すブロック図である。
【図５】実施の形態３における電源切替アルゴリズムを示すフローチャートである。
【図６】実施の形態４に係るセンサ装置の概略構成を示すブロック図である。
【図７】実施の形態４における電源切替アルゴリズムを示すフローチャートである。
【図８】実施の形態５における電源切替アルゴリズムを示すフローチャートである。
【図９】実施の形態６に係るセンサ装置の概略構成を示すブロック図である。
【図１０】実施の形態６における電源切替アルゴリズムを示すフローチャートである。
【図１１】実施の形態７に係るセンサ装置の概略構成を示すブロック図である。
【図１２】実施の形態７における電源切替アルゴリズムを示すフローチャートである。
【図１３】実施の形態８におけるセンサ計測スタート条件の判定アルゴリズムを示すフローチャートである。
【発明を実施するための形態】
【００２６】
本発明の実施形態について図１から図１３に基づいて説明すると以下の通りである。
【００２７】
〔実施の形態１〕
図１は、本実施の形態に係るセンサ装置の概略構成を示すブロック図である。本実施形態のセンサ装置１００は、図１に示すように、センサ部１０１、無線通信機１０２、直流電源１０３、ＤＣコンバータ１０４、制御ＩＣ（制御部）１０５、およびスイッチＳＷ１・ＳＷ２を備えて構成されている。
【００２８】
センサ装置１００は、温度や湿度などの計測対象をセンサ部１０１によって計測し、計測により得られた計測データを無線通信機１０２によってサーバ装置等に送信する。また、センサ装置１００は、計測処理と送信処理とを設定されたタイミングで実行する。
【００２９】
直流電源１０３は、例えば電池等の有限の電力供給源であるが、本発明はこれに限定されない。直流電源１０３が電池の場合は、電池の長寿命化といった目的に大きく寄与するが、直流電源１０３が有限の電力供給源でなくても本発明では消費電力の削減効果が得られる。直流電源１０３からセンサ部１０１、無線通信機１０２および制御ＩＣ１０５へ供給される電力は、２つの電力供給経路の一方にて供給される。すなわち、一方は直流電源１０３からＤＣコンバータ１０４を介して電力を供給する経路であり、他方は直流電源１０３から直接電力を供給する経路である。これらの電力供給経路はスイッチＳＷ１およびＳＷ２のオン／オフによって切り替えられる。尚、本実施の形態では、ＤＣコンバータ１０４は降圧型のＤＣコンバータであるとする。
【００３０】
制御ＩＣ１０５は、センサ装置１００の制御を行うものであって、センサ部１０１および無線通信部１０２の動作制御、並びに、スイッチＳＷ１およびＳＷ２のオン／オフ切替制御を行う。図１において、γｓ１はセンサ−制御ＩＣ間信号、γｓ２は無線通信機−制御ＩＣ間信号、φｓ１・φｓ２はスイッチ動作信号である。
【００３１】
センサ装置１００は、直流電源１０３に有限の電力供給源を用いるため、消費電力を削減して電源の長寿命化を図ることが重要となる。センサ装置１００では、動作モードに応じて電力供給経路を切り替えることにより、消費電力の削減を図るものとなっている。
【００３２】
具体的には、センサ装置１００は、その動作モードとして、センサ部１０１による計測を行うセンシングモード、計測データを無線通信機１０２によって送信する送信モード、および計測および送信の何れも行なわないスリープモードを有している。センサ装置１００は、センシングモードおよび送信モードではＤＣコンバータ１０４を介して電力供給を行い、スリープモードでは直流電源１０３から直接電力を供給する。このような理由は以下の通りである。
【００３３】
ＤＣコンバータ１０４を介して電力供給を行う場合、出力電圧の大きい領域では電流変換効率が大きくなるが、出力電圧の小さい領域では電流変換効率が小さくなる。センシングモードまたは送信モードでは、センサ部１０１または無線通信機１０２の動作に比較的大きな電流を要するため、電流変換効率が大きい状態でＤＣコンバータ１０４を駆動することができる。また、センサ部１０１に対して電池等の直流電源１０３から直接電力を供給すると、電池電圧が低下するとセンサの精度が低下するため、センサの精度を維持しようとすれば、電池容量を使い切れないといった問題がある。ＤＣコンバータ１０４を介して電力供給を行うことでセンサ部１０１に対して電圧変動の無い安定した電力供給が行え、センサの検知精度を維持しつつ、電池容量を効率よく使い切ることができる。さらに、ＤＣコンバータ１０４を降圧型コンバータとすれば、制御ＩＣ１０５の動作電圧を規格使用電圧の下限に近い電圧とすることができ、制御ＩＣ１０５による消費電力も削減できる。
【００３４】
一方、スリープモードでは、センサ部１０１および無線通信機１０２を動作させる必要が無いため、出力電流は小さくなり、ＤＣコンバータ１０４を停止させることで、ＤＣコンバータ１０４における動作電力を削減できる。
【００３５】
このように、本実施の形態に係るセンサ装置１００は、動作モードに応じて電力供給経路を切り替えることで消費電力を削減するものであるが、特に、電力供給経路の切替アルゴリズム（電源切替アルゴリズム）において特徴を有する。以下に、このアルゴリズムの一例について図２を参照して説明する。
【００３６】
図２に示すフローチャートでは、最初にスリープモードへの移行が行われている。すなわち、制御ＩＣ１０５は、スイッチＳＷ１をオフにし、スイッチＳＷ２をオンにしている（Ｓ１）。これにより、ＤＣコンバータ１０４は停止し、センサ部１０１、無線通信機１０２および制御ＩＣ１０５へは直流電源１０３から直接電力が供給される（電池直結）。これにより、センサ装置１００はスリープモードとなる（Ｓ２）。尚、スイッチＳＷ１がオフにされることによって、ＤＣコンバータ１０４自身への電力供給も停止されるため、スリープモードではＤＣコンバータ１０４が停止する。
【００３７】
スリープモードでは、制御ＩＣ１０５は、適切なタイミングでセンシングモードおよび送信モードに移行するために、センサ状態信号および通信機状態信号を監視している。センサ状態信号が計測待機状態であり、かつ、センサ計測スタート条件が満たされると（Ｓ３でＹｅｓ）、制御ＩＣ１０５はセンシングモードへの移行が可能であると判断し、スイッチＳＷ１をオン、スイッチＳＷ２をオフにする（Ｓ４）。これにより、ＤＣコンバータ１０４が動作し、センサ部１０１、無線通信機１０２および制御ＩＣ１０５へはＤＣコンバータ１０４を介して電力が供給される。
【００３８】
こうしてセンシングモードへ移行すると、センサ部１０１が測定動作を開始し、測定値を取得する（Ｓ５）。取得された測定データは、メモリに保持される（Ｓ６）。
【００３９】
センシングモードが終了すると、続いて送信モードへの移行が可能であるかどうかが判断される。通信機状態信号が通信待機状態であり、かつ、データ送信条件が満たされると（Ｓ７でＹｅｓ）、制御ＩＣ１０５は送信モードへの移行が可能であると判断する。送信モードでは、無線通信機１０２がメモリに保持されている測定データを送信する（Ｓ８）。尚、通信状態の悪化等により送信モードへの移行が可能でなければ（Ｓ７でＮｏ）、その時点でのデータ送信は行なわずにスリープモードへ戻る（Ｓ１へ戻る）。
【００４０】
上記フローにおいては、センサ状態信号が計測待機状態であり、かつ、センサ計測スタート条件が満たされると、センシングモードへの移行が可能であると判断されている。
【００４１】
ここで、センサ状態信号が計測待機状態にあるとは、センサが、測定すべき周囲環境の値を所定の許容誤差範囲内で測定できる状態を指す。具体的には、以下のような状態が考えられる。
(1) 電源電圧が所定の範囲内にあること。測定時間内に所定の範囲の電源電圧に収まっていること。
(2) センサの検出部の環境が測定対象の周囲環境と許容誤差範囲内で同一であること。
例：
・温度センサの場合、検出部が熱容量を持つため、周囲環境の温度が急激に変化した場合、検出部の温度は周囲環境に対して遅れて変化に追従する。検出部の温度が周囲環境に対して許容誤差以内にある状態が、計測待機状態を満たす一要件となる。湿度センサ、CO2センサ等も同様である。
・加速度センサを用いる場合、一定の周波数の信号を取得したい場合がある（例えば、モーターの回転による特定の振動数等、周期の決まった動作に伴う振動を検出する場合）。特定周期の信号を選択的に抽出するために、少なくとも測定対象の周波数の２倍のサンプリング周期で測定を行う必要があり、このサンプリング周期を決定するため、事前に高速にサンプリングを行うことがある。この事前サンプリングの結果を用いて、本サンプリングの周期がセンサにセットされた状態が、計測待機状態を満たす一要件となる。
(3) 周囲環境のノイズが測定時間内に所定のレベル以下に収まっていること。
・測定対象によっては、測定に誤差を生じるノイズを発生している場合がある。このノイズレベルを他のセンサで測定し、ノイズレベルが許容以下になった場合が計測待機状態を満たす一要因となる。たとえば、センサ近傍で強い電磁波ノイズが放射されている場合（携帯電話など）、センサの電源電圧を変動しセンサ測定精度を悪化させる場合がある。電磁波レベルを他のセンサ・無線機などで測定し、センサの計測待機状態を決定することができる。
【００４２】
センサ状態信号は、上記(1)〜(3)の状態を満たしているかどうかを予め測定して生成される。あるいは、以前の測定結果から学習により生成することも可能である。たとえば、温度変化が急激な場合、以前の測定結果から検出部の温度変化による測定タイミングの遅れを計算し、センサ状態信号を計測待機状態にする信号を生成することが考えられる。
【００４３】
また、センサ計測スタート条件が満たされるとは、センシングが必要なタイミングになることを指す。この条件では、一定時間ごとの計測も含まれるが、例えば前回の測定結果の傾向から次回の測定タイミングを生成することや、他のセンサからの測定信号によって計測タイミングを生成することができる。また、他ノードやサーバからの信号を受信して計測スタート条件を設定することもできる。センサ計測スタート条件が満たされた場合も、そのことを示す信号がセンサ部１０１にて生成され、制御ＩＣ１０５へ送信される。
【００４４】
また、通信機状態信号が通信待機状態であるとは、
(1) 自ノードに搭載している無線通信機の状態が通信可能な状態であること、
(2) 受信側（サーバー・他ノード）通信機の状態が通信可能な状態であること、
(3) 無線通信経路が通信可能なこと、
の３点が確保されている状態を指す。具体的には以下のような状態が考えられる。
(1)の状態としては、
・通信機へ供給する電源電圧が所定の範囲内にあること。通信時間内に所定の範囲の電源電圧に収まっていること。
・受信側通信機との接続情報を保持していること。例えば、ＷｉＦｉ無線であれば、受信側通信機のＩＰアドレス、ポート番号、無線通信チャネル等が必要になる。この条件は、ノードがスリープ状態にある場合などに無線通信機の電源をオフにして低消費電力化を図る場合があるため、電源オン時に接続情報を取得し直す必要がある場合等に必要になる。
(2)の状態としては、上記と同様に受信機側の電源電圧が所定の範囲に収まっていることが必要になる。また、接続情報を保持することも必要になる。
(3)の状態としては、
・無線通信帯域が確保できること。他のノードや同じ周波数帯の無線通信機を使用する他の機器によって通信周波数帯域が埋まっていると、通信が不可能な場合がある。
・障害物等による通信環境の悪化があった場合にも、通信可能な電波送受信強度を確保できること。人体や障害物の移動による環境変化によって時間軸方向で変化する場合もある。
【００４５】
通信待機状態信号は、上記３つの状態を満たしているかどうかを前回の送信結果、あるいは本送信前の通信経路のテスト、以前の送信状態からの予測等から生成する。
【００４６】
また、データ送信条件が満たされるとは、データ送信が必要なタイミングになることを指す。この条件もセンサ計測スタート条件と同様に、一定時間ごとの送信も含まれるが、例えば前回の測定結果の傾向から次回の送信タイミングを生成することや、他のセンサからの測定信号によって送信タイミングを生成することができる。また、他ノードやサーバからの信号を受信してデータ送信条件を設定することもできる。データ送信条件が満たされた場合も、そのことを示す信号が無線通信部から制御ＩＣ１０５へ送信される。
【００４７】
〔実施の形態２：測定頻度による電源切替アルゴリズム〕
図３は、測定頻度によって電源切替を行う場合のアルゴリズムを示すフローチャートである。このアルゴリズムでは測定頻度が任意に設定可能であり、その測定頻度によって電源切替を行っている。尚、測定頻度は、例えば無線通信機１０２を介して外部からの設定が可能であっても良い。
【００４８】
図３に示すフローチャートでも、最初にスリープモードへの移行が行われている。本アルゴリズムでは、測定頻度が閾値（Ｎ／分）以下であるかどうかによって、スリープモードにおける電源供給を異ならせている。
【００４９】
測定頻度が閾値（Ｎ／分）以下である場合（Ｓ１１でＹｅｓ）は、測定頻度が小さく、動作モードの変更はあまり頻繁に行わないため、スリープモードにおいてＤＣコンバータ１０４を停止することで消費電力を効果的に削減できる。このため、測定頻度が閾値（Ｎ／分）以下である場合は、制御ＩＣ１０５は、スイッチＳＷ１をオフにし、スイッチＳＷ２をオンにする（Ｓ１２）。これにより、ＤＣコンバータ１０４は停止して、センサ装置１００はスリープモードとなる（Ｓ１４）。
【００５０】
一方、測定頻度が閾値（Ｎ／分）以下でない場合（Ｓ１１でＮｏ）は、測定頻度が大きく、動作モードの変更が頻繁に生じることとなる。このような場合、動作モードの変更に応じて電源供給経路を切り替えると、スイッチの切替における消費電力が大きくなり、全体としては消費電力削減効果が得られなくなる。このため、測定頻度が閾値（Ｎ／分）以下でない場合は、制御ＩＣ１０５は、スイッチＳＷ１をオンにし、スイッチＳＷ２をオフにし（Ｓ１３）、スリープモードに移行する（Ｓ１４）。すなわち、スリープモードにおいてもＤＣコンバータ１０４を介した電力供給を行う。
【００５１】
図３のフローにおいて、Ｓ１５〜Ｓ２０の処理は、図２におけるＳ３〜Ｓ８の処理と同じであるため、詳細な説明は省略する。
【００５２】
〔実施の形態３：センシング精度による電源切替アルゴリズム〕
図４は、本実施の形態に係るセンサ装置の概略構成を示すブロック図である。このセンサ装置２００は、特にセンシング精度による電源切替を行う場合に、良好な消費電力削減効果が得られる構成となっている。図４のセンサ装置２００は、図１のセンサ装置１００と類似した構成となっているが、直流電源１０３と、センサ部１０１、無線通信機１０２、および制御ＩＣ１０５との間に、スイッチＳＷ３と第２ＤＣコンバータ２０１とが直列に接続された構成となっている。尚、以下の説明では、ＤＣコンバータ１０４を第１ＤＣコンバータ１０４と称する。また、第２ＤＣコンバータ２０１は昇圧型のＤＣコンバータである。
【００５３】
図５は、センシング精度によって電源切替を行う場合のアルゴリズムを示すフローチャートである。本実施の形態では、例えば、測定範囲がαからβの範囲では高精度な測定を行いたいとの要求があるものとする。上記要求に応えるため、図４のセンサ装置２００では、αからβの範囲では第２ＤＣコンバータ２０１を介して電源供給を行うものとする。これは、センサ類は一般にアナログ動作を行うものであり、動作電圧を高圧とした方が測定誤差が小さくなり高精度の測定が行えるためである。
【００５４】
図５に示すフローチャートでも、最初にスリープモードへの移行が行われている。すなわち、制御ＩＣ１０５は、スイッチＳＷ１およびＳＷ３をオフにし、スイッチＳＷ２をオンにしている（Ｓ２１）。これにより、第１および第２ＤＣコンバータ１０４・２０１は停止し、センサ部１０１、無線通信機１０２および制御ＩＣ１０５へは直流電源１０３から直接電力が供給される（電池直結）。これにより、センサ装置２００はスリープモードとなる（Ｓ２２）。
【００５５】
スリープモードでは、制御ＩＣ１０５は、適切なタイミングでセンシングモードおよび送信モードに移行するために、センサ状態信号および通信機状態信号を監視している。センサ状態信号が計測待機状態であり、かつ、センサ計測スタート条件が満たされると（Ｓ２３でＹｅｓ）、制御ＩＣ１０５はセンシングモードへの移行が可能であると判断し、スイッチＳＷ１をオン、スイッチＳＷ２およびＳＷ３をオフにする（Ｓ２４）。これにより、第１ＤＣコンバータ１０４が動作し、センサ部１０１、無線通信機１０２および制御ＩＣ１０５へは降圧型ＤＣコンバータである第１ＤＣコンバータ１０４を介して電力が供給される。
【００５６】
こうしてセンシングモードへ移行すると、センサ部１０１が測定動作を開始し、測定値を取得する（Ｓ２５）。但し、Ｓ２５で得られる測定値は、第１ＤＣコンバータ１０４を介した電力供給の元で得られたものであり、この測定データは高精度な測定によって得られたものではない。このため、Ｓ２５で得られた測定値γｓ１に対して、α≦γｓ１≦βが満たされているか否かの判定を行う（Ｓ２６）。
【００５７】
α≦γｓ１≦βであれば（Ｓ２６でＹｅｓ）、この範囲については高精度の測定を行うため、スイッチＳＷ１およびＳＷ２をオフ、スイッチＳＷ３をオンにする（Ｓ２７）。これにより、第２ＤＣコンバータ２０１が動作し、センサ部１０１、無線通信機１０２および制御ＩＣ１０５へは昇圧型ＤＣコンバータである第２ＤＣコンバータ２０１を介して電力が供給される。
【００５８】
この状態で、センサ部１０１は再び測定動作を開始し、測定値を取得する（Ｓ２８）。さらに、スイッチＳＷ１をオン、スイッチＳＷ２およびＳＷ３をオフにして（Ｓ２９）、第１ＤＣコンバータを動作させ、Ｓ２８で取得した測定データをメモリに保持する（Ｓ３０）。尚、Ｓ２６でα≦γｓ１≦βでなければ、高精度の測定は必要でないため、Ｓ２５で取得した測定データをメモリに保持する（Ｓ３０）。
【００５９】
こうしてセンシングモードが終了すると、続いて送信モードへの移行が可能であるかどうかが判断され、可能であれば、送信モードの処理を行う（Ｓ３１〜Ｓ３２）。Ｓ３１〜Ｓ３２の処理は、図２におけるＳ７〜Ｓ８の処理と同じであるため、詳細な説明は省略する。
【００６０】
〔実施の形態４：センシング精度による電源切替アルゴリズム（複数センサ）〕
図６は、本実施の形態に係るセンサ装置の概略構成を示すブロック図である。このセンサ装置３００は、特にセンシング精度による電源切替を行う場合に、良好な消費電力削減効果が得られる構成であるが、図４のセンサ装置２００とはセンサ部を複数備えている点で異なっている。図６のセンサ装置３００は、図４のセンサ装置２００と類似した構成となっているが、さらに、第２センサ部３０１を備えている。尚、以下の説明では、センサ部１０１を第１センサ部１０１と称する。また、第１センサ部１０１と第２センサ部３０１とは、例えば、温度センサと湿度センサなど、それぞれ種類の異なるセンサであるとする。
【００６１】
図７は、センシング精度によって電源切替を行う場合のアルゴリズムを示すフローチャートである。本実施の形態では、例えば、第１センサ部１０１は測定範囲がα１からβ１の範囲で高精度な測定を行いたいとの要求があり、第２センサ部３０１は測定範囲がα２からβ２の範囲で高精度な測定を行いたいとの要求があるものとする。上記要求に応えるため、図６のセンサ装置３００では、第１センサ部１０１の測定値がα１からβ１の範囲の場合、または、第２センサ部１０１の測定値がα２からβ２の範囲の場合は第２ＤＣコンバータ２０１を介して電源供給を行うものとする。
【００６２】
図７に示すフローチャートでも、最初にスリープモードへの移行が行われている。すなわち、制御ＩＣ１０５は、スイッチＳＷ１およびＳＷ３をオフにし、スイッチＳＷ２をオンにしている（Ｓ４１）。これにより、第１および第２ＤＣコンバータ１０４・２０１は停止し、第１センサ部１０１、第２センサ部３０１、無線通信機１０２および制御ＩＣ１０５へは直流電源１０３から直接電力が供給される（電池直結）。これにより、センサ装置３００はスリープモードとなる（Ｓ４２）。
【００６３】
スリープモードでは、制御ＩＣ１０５は、適切なタイミングでセンシングモードおよび送信モードに移行するために、センサ状態信号および通信機状態信号を監視している。センサ状態信号が計測待機状態であり、かつ、センサ計測スタート条件が満たされると（Ｓ４３でＹｅｓ）、制御ＩＣ１０５はセンシングモードへの移行が可能であると判断し、スイッチＳＷ１をオン、スイッチＳＷ２およびＳＷ３をオフにする（Ｓ４４）。これにより、第１ＤＣコンバータ１０４が動作し、第１センサ部１０１、第２センサ部３０１、無線通信機１０２および制御ＩＣ１０５へは降圧型ＤＣコンバータである第１ＤＣコンバータ１０４を介して電力が供給される。
【００６４】
こうしてセンシングモードへ移行すると、第１センサ部１０１、第２センサ部３０１が測定動作を開始し、測定値を取得する（Ｓ４５）。但し、Ｓ４５で得られる測定値は、第１ＤＣコンバータ１０４を介した電力供給の元で得られたものであり、この測定データは高精度な測定によって得られたものではない。このため、Ｓ４５で得られた測定値γｓ１，γｓ３に対して、α１≦γｓ１≦β１またはα２≦γｓ３≦β２が満たされているか否かの判定を行う（Ｓ４６）。
【００６５】
α１≦γｓ１≦β１またはα２≦γｓ３≦β２が満たされていれば（Ｓ４６でＹｅｓ）、第１センサ部１０１および第２センサ部３０１の少なくとも一方では高精度な測定が必要なため、スイッチＳＷ１およびＳＷ２をオフ、スイッチＳＷ３をオンにする（Ｓ４７）。これにより、第２ＤＣコンバータ２０１が動作し、第１センサ部１０１、第２センサ部３０１、無線通信機１０２および制御ＩＣ１０５へは昇圧型ＤＣコンバータである第２ＤＣコンバータ２０１を介して電力が供給される。
【００６６】
この状態で、第１センサ部１０１および第２センサ部３０１は再び測定動作を開始し、測定値を取得する（Ｓ４８）。さらに、スイッチＳＷ１をオン、スイッチＳＷ２およびＳＷ３をオフにして（Ｓ４９）、第１ＤＣコンバータを動作させ、Ｓ４８で取得した測定データをメモリに保持する（Ｓ５０）。尚、Ｓ４６での判定条件が満たされなければ、高精度の測定は必要でないため、Ｓ４５で取得した測定データをメモリに保持する（Ｓ５０）。
【００６７】
こうしてセンシングモードが終了すると、続いて送信モードへの移行が可能であるかどうかが判断され、可能であれば、送信モードの処理を行う（Ｓ５１〜Ｓ５２）。Ｓ５１〜Ｓ５２の処理は、図２におけるＳ７〜Ｓ８の処理と同じであるため、詳細な説明は省略する。
【００６８】
〔実施の形態５：センシング精度による電源切替アルゴリズム（複数センサ）〕
図８は、センシング精度によって電源切替を行う場合の他のアルゴリズムを示すフローチャートである。ここでのセンサ装置の構成は、図６のセンサ装置３００と同じである。本実施の形態では、例えば、第１センサ部１０１の測定値がα１からβ１の範囲である時にのみ第２センサ部３０１での測定を行い、第２センサ部３０１の測定では比較的高電圧を供給しての高精度な測定を行いたいとの要求があるものとする。
【００６９】
図８に示すフローチャートでも、最初にスリープモードへの移行が行われている。すなわち、制御ＩＣ１０５は、スイッチＳＷ１およびＳＷ３をオフにし、スイッチＳＷ２をオンにしている（Ｓ６１）。これにより、第１および第２ＤＣコンバータ１０４・２０１は停止し、第１センサ部１０１、第２センサ部３０１、無線通信機１０２および制御ＩＣ１０５へは直流電源１０３から直接電力が供給される（電池直結）。これにより、センサ装置３００はスリープモードとなる（Ｓ６２）。
【００７０】
スリープモードでは、制御ＩＣ１０５は、適切なタイミングでセンシングモードおよび送信モードに移行するために、センサ状態信号および通信機状態信号を監視している。センサ状態信号が計測待機状態であり、かつ、センサ計測スタート条件が満たされると（Ｓ６３でＹｅｓ）、制御ＩＣ１０５はセンシングモードへの移行が可能であると判断し、スイッチＳＷ１をオン、スイッチＳＷ２およびＳＷ３をオフにする（Ｓ６４）。これにより、第１ＤＣコンバータ１０４が動作し、第１センサ部１０１、第２センサ部３０１、無線通信機１０２および制御ＩＣ１０５へは降圧型ＤＣコンバータである第１ＤＣコンバータ１０４を介して電力が供給される。
【００７１】
こうしてセンシングモードへ移行すると、先ずは第１センサ部１０１が測定動作を開始し、測定値を取得する（Ｓ６５）。さらに、Ｓ６５で得られた測定値γｓ１に対して、α１≦γｓ１≦β１が満たされているか否かの判定を行う（Ｓ６６）。
【００７２】
α１≦γｓ１≦β１が満たされていれば（Ｓ６６でＹｅｓ）、第２センサ部３０１での高精度な測定が必要なため、スイッチＳＷ１およびＳＷ２をオフ、スイッチＳＷ３をオンにする（Ｓ６７）。これにより、第２ＤＣコンバータ２０１が動作し、第１センサ部１０１、第２センサ部３０１、無線通信機１０２および制御ＩＣ１０５へは昇圧型ＤＣコンバータである第２ＤＣコンバータ２０１を介して電力が供給される。
【００７３】
この状態で、第２センサ部３０１は測定動作を開始し、測定値を取得する（Ｓ６８）。さらに、スイッチＳＷ１をオン、スイッチＳＷ２およびＳＷ３をオフにして（Ｓ６９）、第１ＤＣコンバータを動作させ、Ｓ６５およびＳ６８で取得した測定データをメモリに保持する（Ｓ７０）。尚、Ｓ６６での判定条件が満たされなければ、第２センサ部３０１での測定は必要でないため、Ｓ６５で取得した測定データのみをメモリに保持する（Ｓ７０）。
【００７４】
こうしてセンシングモードが終了すると、続いて送信モードへの移行が可能であるかどうかが判断され、可能であれば、送信モードの処理を行う（Ｓ７１〜Ｓ７２）。Ｓ７１〜Ｓ７２の処理は、図２におけるＳ７〜Ｓ８の処理と同じであるため、詳細な説明は省略する。
【００７５】
〔実施の形態６：無線通信品質による電源切替アルゴリズム〕
図９は、本実施の形態に係るセンサ装置の概略構成を示すブロック図である。このセンサ装置４００は、特に無線通信品質による電源切替を行う場合に、良好な消費電力削減効果が得られる構成となっている。図９のセンサ装置４００は、図４のセンサ装置２００と類似した構成となっているが、無線通信機１０２に代えて無線通信機４０１を備えた構成となっている。無線通信機４０１は、供給電圧によって無線通信品質が変更できるものであり、定められた動作電圧範囲内で供給電圧が高いほど無線通信品質も高くなる。
【００７６】
図１０は、無線通信品質によって電源切替を行う場合のアルゴリズムを示すフローチャートである。本実施の形態では、無線通信状態に応じて最適な無線通信品質が選択されるように電源切替を行うことで、消費電力の削減を図ることができる。
【００７７】
図１０に示すフローチャートは、送信処理時の電源切替動作のみを示している。Ｓ８１〜Ｓ８４では、最初に電源ステートＰｓの初期設定がなされる。センサ装置４００では、３つの電源ステートＰｓの中から選択可能である（Ｓ８１）。ｓｔａｔｅ１では、スイッチＳＷ１をオン、スイッチＳＷ２およびＳＷ３をオフにする（Ｓ８２）。これにより、第１ＤＣコンバータ１０４が動作し、無線通信機４０１へは降圧型ＤＣコンバータである第１ＤＣコンバータ１０４を介して電力が供給される。ｓｔａｔｅ２では、スイッチＳＷ２をオン、スイッチＳＷ１およびＳＷ３をオフにする（Ｓ８３）。これにより、第１ＤＣコンバータ１０４および第２ＤＣコンバータ２０１が停止し、無線通信機４０１へは電池直結にて電力が供給される。ｓｔａｔｅ３では、スイッチＳＷ３をオン、スイッチＳＷ１およびＳＷ２をオフにする（Ｓ８４）。これにより、第２ＤＣコンバータ２０１が動作し、無線通信機４０１へは昇圧型ＤＣコンバータである第２ＤＣコンバータ２０１を介して電力が供給される。
【００７８】
上述したように、無線通信機４０１は供給電圧が高いほど無線通信品質も高くなるものであり、ｓｔａｔｅ１での通信品質が最も低く、ｓｔａｔｅ３での通信品質が最も高い。また、説明の便宜上、図１０のフローでは、最初に電源ステートＰｓの初期設定工程Ｓ８１〜Ｓ８４を入れたが、実際は、送信処理開始直前の電源ステートをそのまま初期の電源ステートとすれば良い。
【００７９】
送信モードでは、設定されている電源ステートによってメモリに保持されている測定データの無線送信が行なわれる（Ｓ８５）。さらに、過不足の無い最適な無線通信品質を維持するため、送信モードの間は通信状態が監視される。すなわち、Ｓ８６では、例えばＡＣＫ受信遅延時間やパケット送信ロス率が閾値を超えないかが監視されている。
【００８０】
ＡＣＫ受信遅延時間の閾値をｔ、パケット送信ロス率の閾値をｐとし、ＡＣＫ受信遅延時間≧ｔまたはパケット送信ロス率≧ｐ％となった場合は、その時の無線通信状態に対して無線通信品質が不足していると判断され、無線通信品質を向上させるように電源ステートが切り替えられる。すなわち、その時の電源ステートがｓｔａｔｅ１であればｓｔａｔｅ２に切り替えられ（Ｓ８７）、ｓｔａｔｅ２であればｓｔａｔｅ３に切り替えられる（Ｓ８８）。また、その時の電源ステートがｓｔａｔｅ３であればそれ以上無線通信品質を上げることができないため、ｓｔａｔｅ３のままとされる（Ｓ８８）。
【００８１】
ＡＣＫ受信遅延時間≧ｔおよびパケット送信ロス率≧ｐ％の何れも満たされていない場合は、その時の無線通信状態に対して無線通信品質が過剰であると判断され、無線通信品質を低下させるように電源ステートが切り替えられる。すなわち、その時の電源ステートがｓｔａｔｅ２であればｓｔａｔｅ１に切り替えられ（Ｓ８９）、ｓｔａｔｅ３であればｓｔａｔｅ２に切り替えられる（Ｓ９０）。また、その時の電源ステートがｓｔａｔｅ１であればそれ以上無線通信品質を下げることができないため、ｓｔａｔｅ１のままとされる（Ｓ８９）。
【００８２】
送信モードの終了時には、スイッチＳＷ２をオン、スイッチＳＷ１およびＳＷ３をオフにすることで、第１ＤＣコンバータ１０４および第２ＤＣコンバータ２０１が停止され（Ｓ９１）、スリープモードへ移行する（Ｓ９２）。
【００８３】
〔実施の形態７：センシング精度による電源切替アルゴリズム〕
図１１は、本実施の形態に係るセンサ装置の概略構成を示すブロック図である。このセンサ装置５００は、特にセンシング精度による電源切替を行う場合に、良好な消費電力削減効果が得られる構成となっている。図１１のセンサ装置５００は、図４のセンサ装置２００と類似した構成となっているが、無線通信機１０２に代えて無線送受信機５０１を備えた構成となっている。すなわち、本実施の形態では、ある空間内に複数のセンサ装置を配置し、これら複数のセンサ装置からの測定結果をサーバ装置に集約し、当該空間内の状態を検知するセンサシステムを構成している。本実施の形態におけるセンサ装置５００は、上記センサシステムを構成するセンサ装置の一つであり、無線通送受信機５０１によって、サーバ装置への測定値の送信のみならず、他のセンサ装置（他ノード）との通信も可能となっている。センサ装置５００は、センシング精度による電源切替命令を自ノード内で生成するのではなく、近隣の他ノードの電源状態情報を受信して設定することで、予測に基づく電源管理を行うことができるようになっている。
【００８４】
図１２は、本実施の形態に係るセンシング精度によって電源切替を行う場合のアルゴリズムを示すフローチャートである。
【００８５】
図１２に示すフローチャートは、測定処理時の電源切替動作を示している。Ｓ１０１〜Ｓ８４では、最初に他ノードにおける電源ステート信号が受信される（Ｓ１０１）。ここでは、上記電源ステート信号は全ての他ノードから受信してもよいし、予め定められた特定のノード（例えば、最も近隣のノードや、特定の位置に設置されたノードなど）から受信してもよい。
【００８６】
続いて、受信した他ノードの電源ステートを判定し（Ｓ１０２）、これに併せて自ノードの電源ステートを設定する（Ｓ１０３，Ｓ１０４）。ここでは、ｓｔａｔｅ１が第１ＤＣコンバータ１０４を動作させる電源ステート、ｓｔａｔｅ２が第２ＤＣコンバータ２０１を動作させる電源ステートであるとする。なお、Ｓ１０１において複数の他ノードから電源ステート信号を受信した場合、制御ＩＣ１０５は、所定のアルゴリズムに従って、自装置の電源ステートを設定すればよい。例えば、最も多数の電源ステートに併せて自ノードの電源ステートを設定すればよい。
【００８７】
その後、Ｓ１０３またはＳ１０４で設定された電源ステートの下でセンサ部１０１が測定動作を開始し、測定値を取得する（Ｓ１０５）。測定が終了すると、スイッチＳＷ１をオン、スイッチＳＷ２およびスイッチＳＷ３をオフして、第１ＤＣコンバータ１０４を動作させてから（Ｓ１０６）、Ｓ１０５で得られた測定データをメモリに保持する（Ｓ１０７）。
【００８８】
そして、スイッチＳＷ１およびスイッチＳＷ３をオフ、スイッチＳＷ２をオンして、ＤＣコンバータを停止させて電池直結による電力供給とし（Ｓ１０８）、スリープモード平行する（Ｓ１０９）。
【００８９】
〔実施の形態８：センサ計測スタート条件の判定〕
本発明に係るセンサ装置は、動作モードに応じて電源切替を行っており、これによって消費電力の削減を図るものであるが、特許文献１や特許文献２のように、モードを設定するための主駆動／待機状態信号やモード信号を用いて上記切替を行うものではない。本発明に係るセンサ装置は、装置自体の動作状態、言い換えれば、センサ部や無線通信機の出力信号からセンサ計測スタート条件を判定し、センサ計測スタート条件が満たされた場合にモード移行と電源切替とを行うことを特徴としている。以下に、図１３を参照して具体例を説明する。
【００９０】
本実施の形態では、図４に示すセンサ装置２００が用いられるものとする。また、センサ部１０１は温度センサであると仮定し温度Ｔ２からＴ３の範囲で高精度に測定を行いたい要求があるとする。また、高精度に測定を行いたい範囲では、測定頻度も多くしたいといった要求があるとする。これらの要求がある場合のセンサ計測スタート条件の判定アルゴリズムの一例を図１３に示す。
【００９１】
センサ計測スタート条件の判定では、最後に測定を行った時のセンサ測定値γｓ１に応じて次回測定までの測定時間ｔ０を設定する。そして、測定時間ｔ０が経過すれば、センサ計測スタート条件が満たされたとして次回測定を行う。
【００９２】
図１３のフローでは、最初にセンサ測定値γｓ１を閾値と比較する（Ｓ１１０）。ここで用いられる閾値は、Ｔ１＜Ｔ２＜Ｔ３＜Ｔ４の関係を満たす４つの閾値である。上述したように、閾値Ｔ２およびＴ３は高精度に測定を行いたい測定範囲を示している。また、Ｔ１およびＴ４は上記測定範囲に近づいている状態を判定するための領域を設定するものである。
【００９３】
センサ測定値γｓ１をこれらの閾値と比較した結果、γｓ１≦Ｔ１あるいはγｓ１≧Ｔ４である場合は、高精度に測定を行いたい測定範囲からは大きく外れていると認識し、この場合は、次回測定までの測定時間ｔ０をＸ０に設定する（Ｓ１１１，Ｓ１１７）。また、Ｔ２≦γｓ１≦Ｔ３である場合は、高精度に測定を行いたい測定範囲内にあると認識し、この場合は、次回測定までの測定時間ｔ０をＸ１に設定する（Ｓ１１４）。ここで、高精度に測定を行いたい範囲では、測定頻度も多くしたいといった要求があるため、Ｘ１はＸ０よりも短い時間設定とされている（Ｘ１＜Ｘ０）。
【００９４】
また、Ｔ１＜γｓ１＜Ｔ２である場合には、測定値の変化量がＴ２に近づいているのか遠ざかっているのかが判定される。すなわち、変化量の傾きΔγｓ１／Δｔが正であれば、Ｔ２に近づいていると認識し、Ｔ２からＴ３の範囲の測定を確実に精度良く行うため、測定時間ｔ０をΔＴ（Δγｓ１／Δｔ）に設定する（Ｓ１１２）。変化量の傾きΔγｓ１／Δｔが負であれば、Ｔ２から遠ざかっていると認識し、測定時間ｔ０をＸ０に設定する（Ｓ１１３）
同様に、Ｔ３＜γｓ１＜Ｔ４である場合には、測定値の変化量がＴ３に近づいているのか遠ざかっているのかが判定される。すなわち、変化量の傾きΔγｓ１／Δｔが負であれば、Ｔ３に近づいていると認識し、測定時間ｔ０をΔＴ（Δγｓ１／Δｔ）に設定する（Ｓ１１５）。変化量の傾きΔγｓ１／Δｔが正であれば、Ｔ３から遠ざかっていると認識し、測定時間ｔ０をＸ０に設定する（Ｓ１１６）
上記フローに沿って、センサ計測スタート条件の判定を行えば、高精度の測定を行いたい範囲で確実に精度良く測定を行うことができ、それ以外の範囲では測定精度を測定頻度を落として測定することで低消費電力化ができる。
【００９５】
測定精度の問題だけでなく、スリープ時の電源切替タイミングに同じ概念を用いることで測定したいセンサ範囲で動作頻度を増やして時間方向の精度を確保しつつ、電源回路の切替によって低消費電力化を実現できる。
【００９６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９７】
本発明は、電池等の有限の電力供給源を用いるセンサ装置において低消費電力化（電池の長寿命化）を図ることができ、センサによる測定結果を無線でサーバに送信するセンサシステム等に適用できる。
【符号の説明】
【００９８】
１００，２００，３００，４００，５００    センサ装置
１０１，３０１    センサ部
１０２，４０１    無線通信機
１０３    直流電源
１０４，２０１    ＤＣコンバータ
１０５    制御ＩＣ
５０１    無線送受信機
【図１】
0005353861.tif 000002
【図２】
0005353861.tif 000003
【図３】
0005353861.tif 000004
【図４】
0005353861.tif 000005
【図５】
0005353861.tif 000006
【図６】
0005353861.tif 000007
【図７】
0005353861.tif 000008
【図８】
0005353861.tif 000009
【図９】
0005353861.tif 000010
【図１０】
0005353861.tif 000011
【図１１】
0005353861.tif 000012
【図１２】
0005353861.tif 000013
【図１３】
0005353861.tif 000014